(57)【要約】【課題】簡単な構成で電気かみそりの接点部と洗浄充電器の接点部との接続を行い、端子間の接触不良を防止し、安定した接点圧を確保し得る保持構造を提供する。【解決手段】電気かみそり２を装着させて充電を行う洗浄充電器１における電気かみそりと洗浄充電器との保持構造において、電気かみそり２又は洗浄充電器１の何れか一方に磁石９を設け、他方に前記磁石９に磁気吸着される材料からなる金属板８を設けるようにし、これら電気かみそり２と洗浄充電器１とを電気接続させる接点部（端子ピン６と接点金具７の接点部７Ｄとの接点部）を、前記電気かみそりの重心Ｇと、前記接点部より該電気かみそりの装着方向と反対側の上方位置に設けた前記磁石９と、の間に設けた。【選択図】図１
2008018128.tif 000002
【特許請求の範囲】
【請求項１】
電気かみそりを装着させて少なくとも充電を行う充電器における電気かみそりと充電器との保持構造において、
前記電気かみそり又は前記充電器の何れか一方に磁石を設け、他方に前記磁石に磁気吸着される材料からなる引付け部材を設けるようにし、これら電気かみそりと充電器とを電気接続させる接点部を、前記電気かみそりの重心と、前記接点部より該電気かみそりの装着方向と反対側の上方位置に設けた前記磁石と、の間に設けた
ことを特徴とする電気かみそりと充電器との保持構造。
【請求項２】
請求項１に記載の電気かみそりと充電器との保持構造であって、
前記磁石の中心位置に対して前記引付け部材の中心位置を、前記電気かみそりを前記充電器の装着方向へと引き寄せる力を働かせる方向にずらした
ことを特徴とする電気かみそりと充電器との保持構造。
【請求項３】
請求項１または請求項２に記載の電気かみそりと充電器との保持構造であって、
前記接点部のうち充電器に設けられた接点金具の接点部形状を半球状とした
ことを特徴とする電気かみそりと充電器との保持構造。
【請求項４】
請求項１から請求項３の何れか一つに記載の電気かみそりと充電器との保持構造であって、
前記接点部における反力を、２段階又は他段階で変位させる多段変位付与部を備えた
ことを特徴とする電気かみそりと充電器との保持構造。
【請求項５】
請求項３または請求項４に記載の電気かみそりと充電器との保持構造であって、
前記電気かみそりが前記充電器に装着されたことを検知する検知部を、前記充電器に設けられた前記接点金具とは別部品として備えた
ことを特徴とする電気かみそりと充電器との保持構造。
【発明の詳細な説明】
【技術分野】
【０００１】
本発明は、電気かみそりと充電器との保持構造に関し、これら電気かみそりと充電器とを電気接続させる接点部の接触不良を解消し且つ安定した電気かみそりの装着保持を実現するための技術に関する。
【背景技術】
【０００２】
例えば、電気かみそりとその刃部を洗浄する洗浄機能を備えた洗浄充電器との保持構造においては、電気かみそりの上端部に刃部を設ける一方で、下端部に洗浄充電器との電気接続を図るための充電用のピンを設け、該電気かみそりをヘッド部が下になるように上下逆にした状態で洗浄充電器にセットし、そのヘッド部を洗浄充電器の洗浄部に配置し、前記充電用のピンに前記洗浄充電器に設けた接触部（端子部）を接触させて電力を給電し充電するように構成されている。
【０００３】
しかしながら、電気かみそりの下端部に充電用のピンを設けた場合は、洗浄充電器に電気かみそりをセットした際に充電用のピンが一番上の位置にくるため、当該電気かみそりの装着保持安定性を考えると、装着時における電気かみそりの高さよりも洗浄充電器の高さを高くする必要がある。
【０００４】
そこで、洗浄充電器の高さを低くするための構造として電気かみそり（除毛器具）の背面部に充電用のピンを設けるようにした技術が開示されている（例えば、特許文献１に記載）。また、この特許文献１には、両者の接続を確実に行うことで端子間の接触不良をなくすための技術が開示されており、洗浄充電器に設けた可動保持アームで電気かみそりを引っ張って洗浄充電器に保持させる機械式保持機構や、電気かみそりと洗浄充電器の両方に巻線を配置し電磁誘導により電気かみそりを洗浄充電器に保持させる電磁誘導式保持機構とがある。
【０００５】
この他、洗浄充電器と電気かみそりとの保持構造ではないが、携帯無線電話機とこれに給電を行う卓上保持台との保持構造において、携帯無線電話機に磁石を設ける一方で、保持台に、該磁石に吸引される材料からなるおもりを設けた技術が開示されている（例えば、特許文献２に記載）。
【０００６】
また、電気機器用端子の固定方法として、電子機器用端子の弾性部を固定端から離れた位置において支点部材で受け止め、充電機構に搭載された被充電機器から接点部が受ける押圧力を、接点部から弾性部を支える支点部材で受け止めた部分までが撓むことで受け止め、当該接点部が受ける押圧力を固定端の近傍まで及ぼさないようにした技術が開示されている。
【特許文献１】特開２００４−２６１２０８号公報
【特許文献２】特開２０００−３２４２２０号公報
【特許文献３】特開２００３−１３２９５８号公報
【発明の開示】
【発明が解決しようとする課題】
【０００７】
しかしながら、特許文献１及び特許文献２に記載の技術では、何れも洗浄充電器と電気かみそりとの接点部における電気接続状態は必ずしも十分ではなく、端子間の接触状態をさらに改善する余地がある。
【０００８】
そこで、本発明は、このような従来の課題を解決するものであり、簡単な構成で電気かみそりの接点部と充電器の接点部との接続を行い、これら接点部での接触不良を防止し、安定した接点圧を確保し得る保持構造を提供すると共に、電気かみそりと充電器との位置決めを確実なものとなし得る電気かみそりと充電器との保持構造を提供することを目的とする。
【課題を解決するための手段】
【０００９】
請求項１に記載の発明は、上記目的を達成するために、電気かみそりを装着させて少なくとも充電を行う充電器における電気かみそりと充電器との保持構造において、前記電気かみそり又は前記充電器の何れか一方に磁石を設け、他方に前記磁石に磁気吸着される材料からなる引付け部材を設けるようにし、これら電気かみそりと充電器とを電気接続させる接点部を、前記電気かみそりの重心と、前記接点部より該電気かみそりの装着方向と反対側の上方位置に設けた前記磁石と、の間に設けたことを特徴とする。
【００１０】
請求項２に記載の発明は、前記磁石の中心位置に対して前記引付け部材の中心位置を、前記電気かみそりを前記充電器の装着方向へと引き寄せる力を働かせる方向にずらしたことを特徴とする。
【００１１】
請求項３に記載の発明は、前記接点部のうち充電器に設けられた接点金具の接点部形状を半球状としたことを特徴とする。
【００１２】
請求項４に記載の発明は、前記接点部における反力を、２段階又は他段階で変位させる多段変位付与部を備えたことを特徴とする。
【００１３】
請求項５に記載の発明は、前記電気かみそりが前記充電器に装着されたことを検知する検知部を、前記充電器に設けられた前記接点金具とは別部品として備えたことを特徴とする。
【発明の効果】
【００１４】
請求項１に記載の本発明によれば、電気かみそり又は充電器の何れか一方に磁石を設け、他方に前記磁石に磁気吸着される材料からなる引付け部材を設けるようにし、これら電気かみそりと充電器とを電気接続させる接点部を、前記電気かみそりの重心と、前記接点部より該電気かみそりの装着方向と反対側の上方位置に設けた前記磁石と、の間に設けたので、充電器に対する電気かみそりの装着状態が最も安定し、単純な構造で電気かみそりと充電器との接続部における接触不良を防止することができ、安定した接点圧を確保することができる。
【００１５】
請求項２に記載の発明によれば、磁石の中心位置に対して引付け部材の中心位置を、電気かみそりを充電器の装着方向へと引き寄せる力を働かせる方向にずらしたので、磁石の極方向での磁力に加えて、水平方向での引き付け力を利用することができ、電気かみそりを充電器により強く引き寄せることが可能となり、これら電気かみそりと充電器との位置決めを確実なものとすることができ、さらに電気かみそりの装着保持安定性を高めることができる。
【００１６】
請求項３に記載の発明によれば、接点部のうち充電器に設けられた接点金具の接点部形状を半球状としたので、この接点金具に対してあらゆる方向から電気かみそりの接点部を接触させ易くすることができ、しかも接点部を引っ掛かり難くできる。
【００１７】
請求項４に記載の発明によれば、接点部における反力を、２段階又は他段階で変位させる多段変位付与部を備えたので、磁石の吸引力が距離に応じて減少する特性に応じた接点反力を得ることができる。
【００１８】
請求項５に記載の発明によれば、電気かみそりが充電器に装着されたことを検知する検知部を、充電器に設けられた接点金具とは別部品として備えているので、磁石に吸着される金属片が誤って充電器内に入り込んだ場合でも洗浄動作が機能しないようにすることができる。
【発明を実施するための最良の形態】
【００１９】
以下、本発明を適用した具体的な実施の形態を、図面を参照しながら詳細に説明する。本実施の形態は、電気かみそりの刃部を洗浄する洗浄機能と、電気かみそりに充電を行う充電機能を備えた洗浄充電器と電気かみそりとの保持構造に、本発明を適用したものである。
【００２０】
図１は電気かみそりを洗浄充電器に装着し充電可能な状態を示す断面図、図２は洗浄充電器の斜視図、図３は電気かみそりと洗浄充電器の接点部を示す要部拡大断面図、図４は洗浄充電器に設けられた磁石及び接点部の接点金具とそれらを固定させる部品を示す分解斜視図、図５は接点金具の変位状態を示す図、図６は接点金具の反力を多数段階に変位させたときのストローク量と荷重との関係を示す特性図である。
【００２１】
洗浄充電器１は、図１及び図２に示すように、刃部を下向きとして電気かみそり２を洗浄部３に装着させる電気かみそり投入口４を有した洗浄充電器本体５を備えている。この洗浄充電器本体５には、図３及び図４に示すように、電気かみそり２の背面２ａに設けられた端子ピン６と電気接続される接点金具７と、電気かみそり２の背面内部に設けられた引き付け部材である金属板８を引き付ける磁石９と、が設けられている。なお、本実施の形態では、端子ピン６と接点金具７の数を共に３つとしている。
【００２２】
接点金具７は、洗浄充電器本体５に取り付けられる接点金具取付基台１０に装着される装着部７Ａと、この装着部７Ａの下端から水平方向に延びる水平部７Ｂと、この水平部７Ｂの先端から斜め上方に延びる変位部７Ｃと、この変位部７Ｃの先端に設けられ前記端子ピン６と接触する接点部７Ｄとから構成され、全体形状が平面視略Ｖ字状とされている。
【００２３】
装着部７Ａは、接点金具取付基台１０の背面１０ａに接して取り付けられる。水平部７Ｂは、接点金具取付基台１０の下端面１０ｂに接している。変位部７Ｃは、接点金具取付基台１０の正面１０ｃ側に配置され、この接点金具取付基台１０に対して接近または離れることで変位自在とされている。接点部７Ｃは、前記端子ピン６に対して左右上下のあらゆる方向から接触し易く且つ引っ掛かり難いようにその接点部形状を半球状としている。
【００２４】
接点金具取付基台１０は、接点金具７を装着させる基台であるから短絡しないように絶縁材料で形成されている。この接点金具取付基台１０の正面１０ｃには、前記接点金具７の接点部７Ｄにおける前記端子ピン６に対する反力を、他段階で変位させるための多段変位付与部１１が設けられている。かかる多段変位付与部１１は、前記変位部７Ｃに面接触する傾斜面１１ａを備えた突起として形成されており、前記端子ピン６が前記接点部７Ｄに接触したときにこの変位部７Ｃが撓んで前記傾斜面１１ａに接触し、その後この突起の先端部１１ｂを支点として接点部７Ｄにさらなる反力を付与する。
【００２５】
この接点金具７の接点部７Ｄにおける反力は、図５に示すように、他段階（２段階）に変位する。具体的には、端子ピン６が接点部７Ｄに接触する前の初期段階では、図５（Ａ）に示すように、水平部７Ｂと変位部７Ｃの屈曲部分を支点（第１支点）として接点部７Ｄが変位する。このときの変位による接点部７Ｄにおける前記端子ピン６に対する反力が第１反力となる。その後、図５（Ｂ）に示すように、変位部７Ｃが接点金具取付基台１０の傾斜面１１ａに接触した後、今度は、この接点金具取付基台１０の先端部１１ｂを支点（第２支点）として接点部７Ｄが図５（Ｃ）に示すように洗浄充電器本体５内へと変位することで、その支点から作用点（端子ピン６と接点部７Ｄとの接触部位）までの距離が短くなることによってより大きな反力（第２反力）が得られる。
【００２６】
図６は、この様子を横軸にストローク量（変位量）、縦軸に荷重をとりグラフにしたものである。この図からも判るように、接点金具７をある変位量とする点で多段変位付与部１１に接触させることで、接点部７Ｄにおける反力（荷重）を段階的に可変させ得ることが理解できる。本実施の形態では、支点となる多段変位付与部１１を一つ設けることで２段階に前記反力を可変させたが、この多段変位付与部１１を３つ以上設けことで３段階以上に前記反力を可変させることができる。
【００２７】
前記磁石９は、前記接点金具７における接点部７Ｄの上方位置であって、この接点部７Ｄに近接した位置に設けられている。かかる磁石９は、磁力を高めるための平面視略コ字状をなすヨーク１２に装着されており、このヨーク１２と共に前記洗浄充電器本体５内に設けられている。そして特に、本実施の形態では、電気かみそり２の重心Ｇと、接点部７Ｄと、磁石９との間には、次なる関係がある。
【００２８】
すなわち、電気かみそり２と洗浄充電器本体５とを電気接続させる接点金具７の接点部７Ｄと端子ピン６との接点部を、電気かみそり２の重心Ｇと、前記接点部７Ｄより該電気かみそり２の装着方向と反対側の上方位置に設けた前記磁石９と、の間に設けている。このような位置関係に磁石９と接点部７Ｄと電気かみそり２の重心Ｇを配置すれば、洗浄充電器１に対する電気かみそり２の装着状態が最も安定する。つまり、接点部７Ｄよりも上に磁石９があることによって、磁力の低い磁石９でも電気かみそり２を洗浄充電器１に引き付ける引き付け力がアップするから洗浄充電器１に対する電気かみそり２の装着状態を安定なものにできる。
【００２９】
一方、前記磁石９に磁気吸着される金属板８は、この磁石９と対向する部位に設けられている。この金属板８と磁石９の配置関係は、磁石９の中心位置Ｃ１に対して金属板８の中心位置Ｃ２を、前記電気かみそり２を前記洗浄充電器１の装着方向へと引き寄せる力を働かせる方向にずらしてある。具体的には、磁石９に対して金属板８を、真向かいの位置ではなく少し上方の位置にずらしてある。
【００３０】
このように、磁石９の中心位置Ｃ１に対して金属板８の中心位置Ｃ２を装着方向に対してずらすことで、これらの間の垂直方向の磁力のみならず磁石表面と平行な面方向の吸引力が働き、電気かみそり２を洗浄充電器１に装着したときに、自ずと電気かみそり２が洗浄部３へ引き込まれるようになる。
【００３１】
また、洗浄充電器１には、電気かみそり２が洗浄充電器１に装着されたことを検知する検知手段が設けられている。かかる検知手段は、電気かみそり２が洗浄充電器１に装着されたときにこの電気かみそり２で押されてスイッチオンになる本体検知スイッチ１３と、この本体検知スイッチ１３が押されたことで検知信号を伝達する本体検知金具１４とからなる。
【００３２】
この検知部である本体検知スイッチ１３を、前記した接点金具７とは別部品としたことで、この接点金具７を本体検知スイッチとして機能させたものに対して、誤作動を回避できる。例えば、磁石９に吸着される金属片などが誤って洗浄充電器１の内部に入り込んでしまった場合でも前記本体検知スイッチ１３が押されない限り、洗浄動作が機能しないようにようにできる。
【００３３】
以上のようにして構成された洗浄充電器１に電気かみそり２を装着させるには、刃部を下向きにして洗浄充電器１の電気かみそり投入口４から電気かみそり２を落とし込む。すると、電気かみそり２の自重で洗浄充電器１の洗浄部へと挿入されて行く。その挿入途中で洗浄充電器１に設けられた磁石９に、電気かみそり２に設けた金属板８が引き寄せられて、前記電気かみそりが装着方向へと自動的に引き込まれ、最終的に刃部が洗浄部３に装着される。
【図面の簡単な説明】
【００３４】
【図１】電気かみそりを洗浄充電器に装着し充電可能な状態を示す断面図である。
【図２】洗浄充電器の斜視図である。
【図３】電気かみそりと洗浄充電器の接点部を示す要部拡大断面図である。
【図４】洗浄充電器に設けられた磁石及び接点部の接点金具とそれらを固定させる部品を示す分解斜視図である。
【図５】接点金具の変位状態を示す図である。
【図６】接点金具の反力を多数段階に変位させたときのストローク量と荷重との関係を示す特性図である。
【符号の説明】
【００３５】
１…洗浄充電器
２…電気かみそり
３…洗浄部
４…電気かみそり投入口
５…洗浄充電器本体
６…端子ピン
７…接点金具
７Ａ…装着部
７Ｂ…水平部
７Ｃ…変位部
７Ｄ…接点部
８…金属板（引き付け部材）
９…磁石
１０…接点金具取付基台
１１…多段変位付与部
１２…ヨーク
【図１】
2008018128.tif 000003
【図２】
2008018128.tif 000004
【図３】
2008018128.tif 000005
【図４】
2008018128.tif 000006
【図５】
2008018128.tif 000007
【図６】
2008018128.tif 000008